(57)【要約】【課題】額面に関する領域を有するシートに印刷するための撮影画像を印刷する撮影画像印刷装置であって、印刷された撮影画像がそのシートに印刷された場合に、シートに印刷された撮影画像の領域内に含まれる撮影画像以外の領域である撮影画像外領域の位置を確認可能な撮影画像印刷装置を提供する。【解決手段】撮影画像を受け付ける画像受付部１と、画像受付部１が受け付けた撮影画像を表示する表示部２と、撮影画像を印刷する印刷部３とを備え、表示部２が、印刷部３により印刷された撮影画像がシートに印刷された場合に、シートに印刷された撮影画像の領域内に含まれる、撮影画像以外の領域である撮影画像外領域の位置を明示して撮影画像を表示し、印刷部３が、撮影画像外領域についても撮影画像を印刷する。【選択図】図１
2005130162.tif 000002
【特許請求の範囲】
【請求項１】
額面に関する領域を有するシートに印刷するための撮影画像を印刷する撮影画像印刷装置であって、
撮影画像を受け付ける画像受付部と、
前記画像受付部が受け付けた撮影画像を表示する表示部と、
前記撮影画像を印刷する印刷部と、を備え、
前記表示部は、前記印刷部により印刷された撮影画像が前記シートに印刷された場合に、前記シートに印刷された撮影画像の領域内に含まれる、当該撮影画像以外の領域である撮影画像外領域の位置を明示して前記撮影画像を表示し、
前記印刷部は、前記撮影画像外領域についても、前記撮影画像を印刷する、撮影画像印刷装置。
【請求項２】
前記印刷部が印刷する撮影画像の領域に関する指示を受け付ける指示受付部と、
前記指示受付部が受け付けた指示に応じて、前記印刷部が印刷する領域を指定する領域指定部と、をさらに備え、
前記表示部は、前記領域指定部が指定した領域の撮影画像を、前記撮影画像外領域の位置を明示して表示し、
前記印刷部は、前記領域指定部が指定した領域の撮影画像を印刷する、請求項１記載の撮影画像印刷装置。
【請求項３】
前記撮影画像外領域は、前記額面表示の領域である、請求項１または２記載の撮影画像印刷装置。
【請求項４】
前記撮影画像外領域は、前記撮影画像とは別途印刷される画像の領域である、請求項１または２記載の撮影画像印刷装置。
【請求項５】
額面に関する領域を有するシートに印刷するための撮影画像を印刷する撮影画像印刷方法であって、
撮影画像を受け付ける画像受付ステップと、
前記画像受付ステップで受け付けた撮影画像を表示する表示ステップと、
前記撮影画像を印刷する印刷ステップと、を備え、
前記表示ステップでは、前記印刷ステップで印刷された撮影画像が前記シートに印刷された場合に、前記シートに印刷された撮影画像の領域内に含まれる、当該撮影画像以外の領域である撮影画像外領域の位置を明示して前記撮影画像を表示し、
前記印刷ステップでは、前記撮影画像外領域についても、前記撮影画像を印刷する、撮影画像印刷方法。
【請求項６】
額面に関する領域を有するシートに印刷するための撮影画像を印刷する処理をコンピュータに実行させるためのプログラムであって、
撮影画像を受け付ける画像受付ステップと、
前記画像受付ステップで受け付けた撮影画像を表示する表示ステップと、
前記撮影画像を印刷する印刷ステップと、をコンピュータに実行させ、
前記表示ステップでは、前記印刷ステップで印刷された撮影画像が前記シートに印刷された場合に、前記シートに印刷された撮影画像の領域内に含まれる、当該撮影画像以外の領域である撮影画像外領域の位置を明示して前記撮影画像を表示させ、
前記印刷ステップでは、前記撮影画像外領域についても、前記撮影画像を印刷させる、プログラム。
【発明の詳細な説明】
【技術分野】
【０００１】
本発明は、撮影画像を印刷する撮影画像印刷装置等に関する。
【背景技術】
【０００２】
切手等のように、公的な機関や、あるいは私的な団体などが発行する額面の印刷されたシートに対して、人物の顔等の画像を印刷する方法などが開発されている（例えば、特許文献１参照）。
【０００３】
そのようなシートの印刷は、例えば、印刷を希望する撮影画像を図９で示す申し込み用紙に貼付して郵送することにより、申し込まれている。その申し込み用紙に貼付する撮影画像としては、例えば、デジタルスチルカメラ等で撮影した画像を、街角に設置されている印刷装置で裏面がシールになっている写真シートに印刷したもの等を用いることができる。
【特許文献１】特許第３２９３５１７号公報（第２頁−第３頁、第１図等）
【発明の開示】
【発明が解決しようとする課題】
【０００４】
図１０で示されるように、撮影画像の領域内に額面表示の領域が含まれるシート（例えば、切手シート）の場合には、撮影画像と額面表示とが分離されていないため、そのシートが自分の独自のものである（例えば、自分の独自の切手である）ことがより強く現れることとなって好ましい。一方、図９で示される申し込み用紙の写真貼付欄に貼付された撮影画像（写真）の状況によっては、図１１で示されるように、額面表示の領域が撮影画像の好ましくない位置（例えば、人物の顔の部分など）に来る場合があり、そのような事態を避けたい。
【０００５】
本発明は、上記問題点を解決するためになされたものであり、額面に関する領域を有するシートに印刷するための撮影画像を印刷する撮影画像印刷装置であって、印刷された撮影画像がそのシートに印刷された場合に、シートに印刷された撮影画像の領域内に含まれる撮影画像以外の領域である撮影画像外領域の位置を確認可能な撮影画像印刷装置等を提供することを目的とする。
【課題を解決するための手段】
【０００６】
上記目的を達成するため、本発明による撮影画像印刷装置は、額面に関する領域を有するシートに印刷するための撮影画像を印刷する撮影画像印刷装置であって、撮影画像を受け付ける画像受付部と、前記画像受付部が受け付けた撮影画像を表示する表示部と、前記撮影画像を印刷する印刷部と、を備え、前記表示部が、前記印刷部により印刷された撮影画像が前記シートに印刷された場合に、前記シートに印刷された撮影画像の領域内に含まれる、当該撮影画像以外の領域である撮影画像外領域の位置を明示して前記撮影画像を表示し、前記印刷部が、前記撮影画像外領域についても、前記撮影画像を印刷するものである。
【０００７】
このように構成された本発明によれば、撮影外画像領域の位置を確認した上で、撮影画像の印刷を行うことができる。また、撮影画像外領域についても、撮影画像が印刷されるため、額面に関する領域を有するシートへの印刷以外の用途にも、印刷された撮影画像を用いることができうる。
【０００８】
また、本発明による撮影画像印刷装置では、前記印刷部が印刷する撮影画像の領域に関
する指示を受け付ける指示受付部と、前記指示受付部が受け付けた指示に応じて、前記印刷部が印刷する領域を指定する領域指定部と、をさらに備え、前記表示部が、前記領域指定部が指定した領域の撮影画像を、前記撮影画像外領域の位置を明示して表示し、前記印刷部が、前記領域指定部が指定した領域の撮影画像を印刷してもよい。
【０００９】
このように構成された本発明によれば、撮影画像外領域が、撮影画像の好ましくない位置となる場合に、撮影画像と撮影画像外領域との位置関係を調整することができ、撮影画像外領域が好ましくない位置にくることを避けることができる。
【００１０】
また、本発明による撮影画像印刷装置では、前記撮影画像外領域が、前記額面表示の領域であってもよい。
このように構成された本発明によれば、額面表示の領域が撮影画像中のどこに位置するのかを確認した上で、撮影画像を印刷することができる。また、印刷された額面に関する領域を有するシートにおいて、撮影画像の領域内に額面表示が含まれることとなり、例えば、そのシートが切手シートである場合に、その切手シートが特別注文の切手シートであることがより強く現れることとなりうる。
【００１１】
また、本発明による撮影画像印刷装置では、前記撮影画像外領域が、前記撮影画像とは別途印刷される画像の領域であってもよい。
このように構成された本発明によれば、前記撮影画像とは別途印刷される画像（例えば、そのシートを発行する会社名等）の領域が撮影画像中のどこに位置するのかを確認した上で、撮影画像を印刷することができる。
【発明の効果】
【００１２】
本発明による撮影画像印刷装置等によれば、額面に関する領域を有するシートに印刷するための撮影画像の印刷時に、印刷された撮影画像がそのシートに印刷された場合に、シートに印刷された撮影画像の領域内に含まれる撮影画像以外の領域である撮影画像外領域の位置を確認することができる。
【発明を実施するための最良の形態】
【００１３】
（実施の形態１）
本発明の実施の形態１による撮影画像印刷装置について、図面を参照しながら説明する。
図１は、本実施の形態による撮影画像印刷装置の構成を示すブロック図である。図１において、本実施の形態による撮影画像印刷装置は、画像受付部１と、表示部２と、印刷部３と、指示受付部４と、領域指定部５とを備える。なお、本実施の形態による撮影画像印刷装置は、額面に関する領域を有するシートに印刷するための撮影画像を印刷するものである。すなわち、本実施の形態による撮影画像印刷装置が印刷した撮影画像を、スキャナ装置で読み込んだり、あるいは、デジタルスチルカメラにより撮影したりすることによって、額面に関する領域を有するシートの印刷装置に取り込み、その取り込んだ撮影画像を用いて、そのシートの印刷が行われる。ここで、額面に関する領域を有するシートとは、例えば、切手や印紙、トラベラーズ・チェック、あるいは証券などである。また、額面に関する領域は、撮影画像の印刷より以前にシートに設けられていてもよく、撮影画像の印刷と同時に、あるいはその印刷の後に、シートに印刷等により設けられもよい。なお、額面とは、所定の価値、価格等を表示するものであり、例えば、切手や印紙の金額表示や、株券における株数などのことである。また、このシートには、偽造や訂正、複製等を防止するための所定の処理（例えば、透かしを入れたり、特殊なインクを使用したり、超微細な文字、数字などを形成したりすることなど）を行ってもよい。
【００１４】
画像受付部１は、撮影画像を受け付ける。この撮影画像は、例えば、デジタルスチルカ
メラで撮影されたものなどであり、記録媒体から読み出された撮影画像、または有線もしくは無線の通信回線等を介して送信された撮影画像等である。この撮影画像に対しては、所定の加工（例えば、画像の拡大や縮小、背景の除去、外部入力された背景、あるいはＣＧ（Ｃｏｍｐｕｔｅｒ  Ｇｒａｐｈｉｃ）で作成された背景の合成、明るさの調整、トリミングなど）が、撮影画像印刷装置においてなされてもよく、あるいは、画像受付部１が受け付けた画像に対してなされていてもよい。ここで、所定のＣＧの背景等が合成された撮影画像、すなわち、一部に撮影したものでない画像を含む撮影画像も、単に撮影画像と呼ぶことにする。この撮影画像は、例えば、人物や動物等を被写体とした撮影画像であってもよく、あるいは、建築物や風景、乗物等を被写体とした撮影画像であってもよい。
【００１５】
表示部２は、画像受付部１が受け付けた撮影画像を、所定の表示デバイス（例えば、液晶ディスプレイやＣＲＴなど）に表示する。なお、表示部２は、それらの表示を行う表示デバイスを含んでいてもよく、あるいは表示デバイスを駆動するドライバ等のソフトウェアであってもよい。
【００１６】
また、表示部２は、印刷部３により印刷された撮影画像が、額面に関する領域を有するシートに印刷された場合に、そのシートに印刷された撮影画像の領域内に含まれる、撮影画像以外の領域である撮影画像外領域の位置を明示して撮影画像を表示する。ここで、撮影画像外領域とは、撮影画像と分離されて存在する領域であり、例えば、額面表示や、所定の会社名（例えば「○○公社」）等である。この撮影画像外領域は、撮影画像の印刷より以前にシートに設けられていてもよく、撮影画像の印刷と同時に、あるいはその印刷の後に、シートに設けられてもよい。また、表示部２は、領域指定部５によって指定された領域の撮影画像を、撮影画像外領域の位置を明示して表示する。
【００１７】
印刷部３は、画像受付部１が受け付けた撮影画像を印刷する。なお、印刷部３は、印刷を行う印刷デバイス（プリンタ等）を含んでいてもよく、あるいは印刷デバイスを駆動するドライバ等のソフトウェアであってもよい。また、印刷部３は、撮影画像外領域についても、撮影画像を印刷する。すなわち、印刷を行う印刷画像領域については、撮影画像外領域の除外されていない、その全領域を印刷する。また、印刷部３は、領域指定部５によって指定された領域の撮影画像を印刷する。
【００１８】
指示受付部４は、印刷部３が印刷する撮影画像の領域に関する指示や、印刷を行う旨の指示を受け付ける。この指示は、指示受付部４と直接、あるいは間接的に接続された入力デバイス（例えば、キーボードやマウス、タッチパネルなど）から入力されたものでもよく、または、有線もしくは無線の通信回線を介して送信されたものでもよい。
領域指定部５は、指示受付部４が受け付けた指示に応じて、印刷部３が印刷する領域を指定する。
【００１９】
次に、本実施の形態による撮影画像印刷装置の動作について、図２のフローチャートを用いて説明する。
（ステップＳ１０１）画像受付部１は、撮影画像を受け付けたかどうか判断する。そして、撮影画像を受け付けた場合には、その受け付けた撮影画像を表示部２と印刷部３とに渡してステップＳ１０２に進み、撮影画像を受け付けていない場合には、ステップＳ１０３に進む。
（ステップＳ１０２）表示部２は、画像受付部１から受け取った撮影画像を、撮影画像外領域の位置を明示して表示する。
【００２０】
（ステップＳ１０３）指示受付部４は、印刷部３が印刷する撮影画像の領域に関する指示を受け付けたかどうか判断する。そして、印刷する撮影画像の領域に関する指示を受け付けた場合には、その指示を領域指定部５に渡す。すると、領域指定部５は、指示受付部
４から受け取った指示に応じて、表示部２が表示する撮影画像の領域と、印刷部３が印刷する撮影画像の領域とを指定してステップＳ１０４に進む。一方、指示受付部４がその指示を受け付けていない場合には、ステップＳ１０６に進む。
（ステップＳ１０４）表示部２は、領域指定部５による指定にしたがって、表示している撮影画像の印刷領域を変更する。
【００２１】
（ステップＳ１０５）印刷部３は、領域指定部５による指定にしたがって、印刷する撮影画像の領域を変更する。
（ステップＳ１０６）指示受付部４は、印刷を行う旨の指示を受け付けたかどうか判断する。そして、印刷を行う旨の指示を受け付けた場合には、その指示を印刷部３に渡してステップＳ１０７に進み、その指示を受け付けていない場合には、ステップＳ１０１に戻る。
【００２２】
（ステップＳ１０７）印刷部３は、指示受付部４からの印刷を行う旨の指示を受け取ると、その指示に応じて、画像受付部１が受け付けた撮影画像を印刷する。この印刷において、表示部２が表示している撮影画像外領域についても、撮影画像を印刷する。なお、撮影画像を印刷する範囲は、領域指定部５による指定がある場合にはその指定にしたがい、指定がない場合には、あらかじめ決められているデフォルトの印刷範囲を印刷する。
なお、図２のフローチャートにおいて、電源オフや処理終了の割り込みにより処理は終了する。
【００２３】
次に、本実施の形態による撮影画像印刷装置の動作について、具体例を用いて説明する。この具体例では、撮影画像外領域には、額面表示がなされるものとする。また、撮影画像印刷装置は、図３で示されるものであるとする。図３で示される撮影画像印刷装置１０では、画像受付部１は、赤外線通信部１３を介した赤外線通信によって撮影画像のデータを受け付け、表示部２は、液晶タッチパネル１１に撮影画像等を表示する。また、指示受付部４は、液晶タッチパネル１１によって入力された指示を受け付ける。印刷部３が印刷した撮影画像は、排出口１２から排出される。
【００２４】
まず、ユーザが、デジタルスチルカメラ付きの携帯電話で、ユーザ自身の上半身の画像を撮影したとする。その撮影画像は、例えば、その携帯電話においてＪＰＥＧ形式で保存される。そして、その携帯電話と、撮影画像印刷装置１０の赤外線通信部１３との間での通信を行うことにより、撮影画像のＪＰＥＧデータを撮影画像印刷装置１０に送信したとする。
【００２５】
すると、画像受付部１は、そのＪＰＥＧ画像を受け付け（ステップＳ１０１）、表示部２と印刷部３とに渡す。そして、表示部２と印刷部３とにおいて、そのＪＰＥＧ画像は図示しないバッファメモリに保存される。表示部２は、画像受付部１から受け取り、図示しないバッファメモリで保存されているＪＰＥＧ形式の撮影画像を、液晶タッチパネル１１に表示する（ステップＳ１０２）。
【００２６】
図４は、液晶タッチパネル１１に表示された撮影画像の一例を示す図である。図４では、画像受付部１が受け付けた撮影画像２１が表示されており、その撮影画像のうち、印刷部３により印刷される領域を示す印刷画像領域２２が示されている。なお、この印刷画像領域２２と同じ領域は、印刷部３においても設定されている。液晶タッチパネル１１で表示されている印刷画像領域２２には、額面表示の行われる領域を示す撮影画像外領域２３が明示されている。この撮影画像２１の表示において、印刷画像領域２２は、カラーで撮影画像が表示され、印刷画像領域２２以外の領域は、白黒で撮影画像が表示されることにより、印刷画像領域２２が明示されている。
【００２７】
図４では、撮影画像のユーザの上半身のうち、頭の部分に撮影画像外領域２３が掛かっているため、好ましくない。したがって、ユーザは、撮影画像を下向きに移動させるために、移動ボタン２４の下向きの矢印のボタンを押す。すると、液晶タッチパネル１１から、印刷する撮影画像の領域に関する指示が指示受付部４に渡される。その指示は、指示受付部４で受け付けられ、領域指定部５に渡される（ステップＳ１０３）。そして、領域指定部５が、その指示に応じて、表示部２における表示領域と、印刷部３における印刷領域を指定する。具体的には、撮影画像が下向きに移動された状態で、印刷領域等が指定される。その結果、表示する領域と、印刷する領域とが変更される（ステップＳ１０４、Ｓ１０５）。
【００２８】
図５は、変更後の、撮影画像の表示の一例を示す図である。図５では、撮影画像が下の方に移動された結果、撮影画像のユーザの頭の部分が撮影画像外領域２３に掛からなくなっている。なお、ユーザが撮影画像を拡大、あるいは縮小したい場合には、液晶タッチパネル１１に表示されている拡大ボタン２５、あるいは縮小ボタン２６を押すことにより、拡大、あるいは縮小をすることができる。
【００２９】
次に、ユーザが液晶タッチパネル１１に表示されている印刷ボタン２７を押すと、その指示が指示受付部４で受け付けられ（ステップＳ１０６）、印刷部３にその指示が渡される。その結果、印刷部３は、図示しないバッファメモリから撮影画像を読み出し、撮影画像の指定された範囲（液晶タッチパネル１１で表示されている印刷画像領域２２）の画像を印刷する（ステップＳ１０７）。その印刷は、図６で示されるように、同じ撮影画像が４枚セットになったシール・シート３１に対してなされる。なお、この場合に、液晶タッチパネル１１では、撮影画像外領域２３が表示されていた領域についても、撮影画像が印刷される。そのシールは、排出口１２から排出され、ユーザは、その１枚のシール３２をはがして図９で示される申し込み用紙に貼付することにより、額面に関する領域を有するシートを申し込むことができる。その結果、図１０で示されるような、撮影画像が少なくとも１つ印刷されたシートであって、その撮影画像の領域内に額面に関する領域（撮影画像外領域）が含まれるシート（例えば、切手シートなど）が作成され、ユーザに郵送されることにより、ユーザはその切手などを用いることができる。なお、図６のシール・シート３１において、各シールは、図９で示される申し込み用紙の写真貼付欄の大きさとなっているものとする。
【００３０】
なお、この具体例では、撮影画像が赤外線通信により画像受付部１で受け付けられる場合について説明したが、画像受付部１は、例えば、電子メールに添付された画像を受け付けてもよく、また、撮影画像印刷装置１０に装着された着脱可能な記録媒体（例えば、半導体メモリなど）に記録された撮影画像を受け付けてもよく、撮影画像印刷装置１０自体がデジタルスチルカメラを有しており、そのデジタルスチルカメラで撮影された撮影画像を受け付けてもよい。また、撮影画像データにおけるフォーマット形式も、ＪＰＥＧ以外であってもよく、例えば、ＴＩＦＦ形式や、ＧＩＦ形式、ＰＩＣＴ形式等であってもよい。
【００３１】
また、撮影画像外領域が撮影画像の上方に位置する場合について説明したが、その位置は上方に限定されず、下方や、左上などに存在してもよい。また、撮影画像外領域の位置について複数のパターンがある場合には、表示において、いずれかのパターンを選択できるようにしてもよく、額面に関する領域を有するシートの申し込み時にも、そのいずれかのパターンを選択できるようにしてもよい。
【００３２】
また、撮影画像外領域は、矩形以外の領域であってもよく、例えば、円状、楕円状等の領域であってもよく、あるいは、図７で示されるように、額面に関する領域を有するシートにおける撮影画像外領域に対応する位置に設けられる所定の文字（例えば、額面表示な
ど）の文字を囲むように白抜きとなった領域２３であってもよい。このように、撮影画像外領域２３は、複数個に分かれていてもよい。
【００３３】
また、この具体例では、撮影画像外領域２３と撮影画像２１との位置関係を変更する場合に、撮影画像２１の位置を変更する場合について説明したが、印刷画像領域２２と撮影画像外領域２３とを撮影画像２１に対して移動させることにより、撮影画像外領域２３と撮影画像２１との位置関係を変更してもよい。さらに、印刷する領域である印刷画像領域２２のみを表示するようにしてもよく、撮影画像の表示の方法は、撮影画像外領域の位置を確認できる範囲において、任意である。
【００３４】
また、この具体例では、撮影画像外領域が額面表示の領域である場合について説明したが、図８で示されるように、額面に関する領域を有するシート４０において、額面表示の領域４１が、撮影画像の領域４２とは別個に設けられており、撮影画像外領域４３には、所定の会社名等が記載されていてもよい。この場合、その撮影画像外領域４３にも受けられる画像（文字を含む）は、例えば、撮影画像外領域４３に印刷される会社名の信用の維持等を目的として、撮影画像領域４２における撮影画像とは、別途印刷されるものである。その撮影画像と別途印刷される画像の印刷は、撮影画像の印刷より以前であってもよく、撮影画像の印刷より後に印刷されるものであってもよい。
【００３５】
また、撮影画像は、図６で示されるように、シール・シート３１に対して印刷されてもよく、シールではない紙に対して印刷されてもよく、あるいは、市販の切手シートのように、裏面に乾燥した糊のついたシートに印刷されてもよい。
【００３６】
以上のように、本実施の形態による撮影画像印刷装置によれば、表示部２が、撮影画像外領域の位置を明示して撮影画像を表示することで、ユーザは、撮影画像外領域の位置を確認した上で、撮影画像の印刷を行うことができる。特に、額面に関する領域を有するシートの印刷においては、偽造防止等の観点から額面に関する領域の印刷を所定の機関（例えば、切手を取り扱う公的な機関、あるいは切手を取り扱うことができる私的な機関など）が集中的に行う必要があるため、図９で示される申し込み用紙等で申し込む必要がある。しかし、そのシートにおいて、図１１で示されるように、額面に関する領域などの撮影画像外領域が好ましくない位置となることにより、そのシートを購入する意欲が失せてしまうことになりうる。一方、本実施の形態による撮影画像印刷装置によって印刷された撮影画像を用いて、そのシートの申し込みを行うことで、額面に関する領域などの撮影画像外領域が好ましくない位置となることを避けることができ、撮影画像の印刷された、額面に関する領域を有するシートに関連するビジネスを推進することができうる。
【００３７】
また、印刷部３が、撮影画像外領域についても撮影画像を印刷することにより、印刷された撮影画像には、撮影画像外領域が明示されないこととなり、その印刷された撮影画像を、通常の撮影画像として、額面に関する領域を有するシートの申し込み以外に利用することもできる。例えば、友人への手紙に貼付したり、自分の手帳等に貼付したりすることができる。
【００３８】
また、印刷部３が印刷する撮影画像の領域に関する指示を受け付ける指示受付部４と、指示受付部４が受け付けた指示に応じて、印刷部３が印刷する領域を指定する領域指定部５とをさらに備え、表示部２が、領域指定部５が指定した領域の撮影画像を、撮影画像外領域の位置を明示して表示し、印刷部３が、領域指定部５が指定した領域の撮影画像を印刷することで、撮影画像外領域が好ましくない位置となった場合に、撮影画像と撮影画像外領域との位置関係を変えることにより、撮影画像外領域を任意の場所に移動させることができる。
【００３９】
なお、本実施の形態では、領域指定部５が表示部２と印刷部３とに対して領域の指定を行う場合について説明したが、領域指定部５は、いずれか一方（例えば、表示部２）に対してのみ領域の指定を行い、他方（例えば、印刷部３）は、その指定された領域を参照することにより、印刷や表示を行うようにしてもよい。
また、表示部２は、画像受付部１が受け付けた撮影画像を、ユーザからの表示する旨の指示に応じて表示するようにしてもよい。
【００４０】
また、本実施の形態において、各構成要素は専用のハードウェアにより構成してもよく、あるいは、ソフトウェアにより実現可能な構成要素については、プログラム制御によるソフトウェアにより構成してもよい。なお、本実施の形態における情報処理装置を実現するソフトウェアは、以下のようなプログラムである。つまり、このプログラムは、額面に関する領域を有するシートに印刷するための撮影画像を印刷する処理をコンピュータに実行させるためのプログラムであって、撮影画像を受け付ける画像受付ステップと、前記画像受付ステップで受け付けた撮影画像を表示する表示ステップと、前記撮影画像を印刷する印刷ステップと、をコンピュータに実行させ、前記表示ステップでは、前記印刷ステップで印刷された撮影画像が前記シートに印刷された場合に、前記シートに印刷された撮影画像の領域内に含まれる、当該撮影画像以外の領域である撮影画像外領域の位置を明示して前記撮影画像を表示させ、前記印刷ステップでは、前記撮影画像外領域についても、前記撮影画像を印刷させるものである。
【００４１】
なお、上記プログラムにおいて、表示ステップや、印刷ステップなどでは、ハードウェアによって行われる処理、例えば、表示ステップにおける表示デバイス（例えば、液晶ディスプレイやＣＲＴなど）やインターフェースカードなどで行われる処理（ハードウェアでしか行われない処理）は含まれない。
【産業上の利用可能性】
【００４２】
以上のように、本発明による撮影画像印刷装置等は、額面に関する領域を有するシートに印刷するための撮影画像を印刷するものであって、印刷された撮影画像がそのシートに印刷された場合に、シートに印刷された撮影画像の領域内に含まれる撮影画像以外の領域である撮影画像外領域の位置を確認することができるものとして有用である。
【図面の簡単な説明】
【００４３】
【図１】本発明の実施の形態１による撮影画像印刷装置の構成を示すブロック図
【図２】同実施の形態による撮影画像印刷装置の動作を示すフローチャート
【図３】同実施の形態による撮影画像印刷装置の外観の一例を示す模式図
【図４】同実施の形態における表示の一例を示す図
【図５】同実施の形態における表示の一例を示す図
【図６】同実施の形態における額面に関する領域を有するシートの一例を示す図
【図７】同実施の形態における表示の一例を示す図
【図８】同実施の形態における表示の一例を示す図
【図９】額面に関する領域を有するシートの申し込み用紙の一例を示す図
【図１０】額面に関する領域を有するシートの一例を示す図
【図１１】額面に関する領域を有するシートの一例を示す図
【符号の説明】
【００４４】
１  画像受付部
２  表示部
３  印刷部
４  指示受付部
５  領域指定部
【図１】
2005130162.tif 000003
【図２】
2005130162.tif 000004
【図３】
2005130162.tif 000005
【図４】
2005130162.tif 000006
【図５】
2005130162.tif 000007
【図６】
2005130162.tif 000008
【図７】
2005130162.tif 000009
【図８】
2005130162.tif 000010
【図９】
2005130162.tif 000011
【図１０】
2005130162.tif 000012
【図１１】
2005130162.tif 000013